(57)【特許請求の範囲】
【請求項１】
地中に下端が埋設された複数の支柱間に壁パネルを取付けて本体壁を形成し、この本体壁上部の支柱間に音源側に傾斜する第１の分岐壁を設けるとともに、反音源側に傾斜する第２の分岐壁を設けた分岐型遮音壁において、
支柱の上部において支柱の両側で前面と背面とに位置する第１及び第２の夫々隣り合う分岐壁の夫々の間の間隙を前面及び背面の遮蔽板で覆い、
これら遮蔽板を合成樹脂材料から形成し、
背面の遮蔽板は、一方では延出部と第２の分岐壁の一端側の内面に重ね合わせられるとともに、他方ではこれらの他端側の外面に嵌合溝により連結される一対の翼部を有し、
背面の遮蔽板の両翼部間に逆Ｕ字状の立上り部を両翼部と一体に合成樹脂材料から形成し、この立上り部の開閉により両翼部が伸縮するように構成し、
第１及び第２の分岐壁を合成樹脂材料で形成したことを特徴とする分岐型遮音壁。
【請求項２】
前記支柱がＨ形鋼から成り、このＨ形鋼の互いに向き合ったコ字状隙間に壁パネルの両側縁を落とし込んで本体壁を形成したことを特徴とする請求項１に記載の分岐型遮音壁。
【請求項３】
前記第１及び第２の分岐壁の間に第１の分岐壁とでＶ字型の谷間を形成する中間分岐壁を設け、この中間分岐壁の下部から反音源側へ所定の長さ延びる延出部を形成し、この延出部から第２の分岐壁が立上ることを特徴とする請求項１又は２に記載の分岐型遮音壁。
【請求項４】
第２の分岐壁の上部とでＶ字型の谷間を形成するように第２の分岐壁内側に再分岐壁を形成したことを特徴とする請求項３に記載の分岐型遮音壁。
【発明の詳細な説明】
【０００１】
【発明の属する技術分野】
この発明は、地中に下端が埋設された複数の支柱間に壁パネルを取付けて本体壁を形成し、この本体壁上部の支柱間に音源側に傾斜する第１の分岐壁を設けるとともに、反音源側に傾斜する第２の分岐壁を設けた分岐型遮音壁に関する。
【０００２】
【従来の技術】
従来の分岐型遮音壁では、支柱間に本体壁を形成し、この本体壁の上に第１及び第２の分岐壁を形成していたが、水平方向における支柱を挟んだ隣り合う分岐壁間には隙間が生じてしまう。そこで、この隙間を覆うように前面と背面とに鋼板製の遮蔽板を取付けていた。
【０００３】
【発明が解決しようとする課題】
支柱を挟んだ分岐壁間の隙間の幅は、支柱間隔のばらつきにより±２０ｍｍ程度はばらつくため、一番大きいばらつきに合わせて大き目の鋼板製遮蔽板を用意する必要があった。そのために遮蔽板の重量も増大し、本体壁の上方での作業のために作業性も悪く、危険を伴うものであった。
【０００４】
そこで、この発明は、軽量化を図り、取付作業の容易な遮蔽板を備えた分岐型遮音壁を提供することを目的とする。
【０００５】
【課題を解決するための手段】
上述の目的を達成するため、この発明は、地中に下端が埋設された複数の支柱間に壁パネルを取付けて本体壁を形成し、この本体壁上部の支柱間に音源側に傾斜する第１の分岐壁を設けるとともに、反音源側に傾斜する第２の分岐壁を設けた分岐型遮音壁において、支柱の上部において支柱の両側で前面と背面とに位置する第１及び第２の夫々隣り合う分岐壁の夫々の間の間隙を前面及び背面の遮蔽板で覆い、これら遮蔽板を合成樹脂材料から形成し、背面の遮蔽板は、一方では延出部と第２の分岐壁の一端側の内面に重ね合わせられるとともに、他方ではこれらの他端側の外面に嵌合溝により連結される一対の翼部を有し、背面の遮蔽板の両翼部間に逆Ｕ字状の立上り部を両翼部と一体に合成樹脂材料から形成し、この立上り部の開閉により両翼部が伸縮するように構成し、第１及び第２の分岐壁を合成樹脂材料で形成したものである。
【０００６】
【発明の実施の形態】
以下に、この発明の好適な実施例を図面を参照にして説明する。
【０００７】
図１は、地中に下端が埋設された複数の支柱１の間に壁パネル２を取付けて本体壁を形成し、この本体壁上部の支柱１の間に音源側に傾斜する第１の分岐壁３を設けるとともに、反音源側に傾斜する第２の分岐壁４を設けた分岐型遮音壁を示す。この実施例においては、支柱１としてＨ形鋼を用い、これらＨ形鋼の互いに向き合ったコ字状隙間１Ａに壁パネル２の両側縁を落とし込んで本体壁を形成してある。また、第１及び第２の分岐壁３，４の間に第１の分岐壁３とでＶ字型の谷間を形成する中間分岐壁５を設け、この中間分岐壁５の下部から反音源側へ所定の長さ延びる延出部６を形成し、この延出部６から第２の分岐壁４が傾斜して立上っている。また、第１の分岐壁３の上端側には第１の分岐壁３とは反対側に傾斜する頂壁７を形成してある。さらに、第２の分岐壁４の上部とでＶ字型の谷間を形成するように第２の分岐壁４の内側に再分岐壁８を形成してある。中間分岐壁５と第２の分岐壁４とが形成する空間は、複数の仕切壁９によりその長手方向に多数の空間に仕切られている。このように構成されたユニット本体１０は、その両側にコ字状の部材１１を設け、このコ字状の部材１１をＨ型鋼のコ字状隙間１Ａに上方からスライドさせて嵌め込む。このコ字状の部材１１と支柱１とは固定金具１２により固定される。
【０００８】
２本の隣り合う支柱１の間に図１に示すようなユニット本体１０を順次取付けていった場合、支柱１を挟んだ両側の第１及び第２の分岐壁３，４の間には隙間が生ずる。この隙間は、前面と背面の遮蔽板２０，３０で覆う。図２は、夫々の遮蔽板２０，３０で支柱１の前後の隙間を覆った状態を示す側面図であり、背面の遮蔽板２０はブラケット２１に一対の翼部２２が取付けてあるものである。図３は図２における背面の遮蔽板２０を背面側から見た図である。この背面の遮蔽板２０を合成樹脂材料から形成してある。この遮蔽板２０は、一方では延出部６と第２の分岐壁４の一端側の内面に重ね合わせられるとともに、他方ではこれらの他端側の外面に嵌合溝により連結される一対の翼部２２があり、図３に示すように一方のユニット本体１０は翼部２２が裏側から重ね合わせられ、他方のユニット本体１０に対しては翼部２２が表側から重ね合わせられている。
【０００９】
図４ないし図６は、背面の遮蔽板２０の側面図、平面図、正面図を夫々示すものである。図５及び図６に示すように他方の翼部２２には、延出部６と第２の分岐壁４の他端側が連結される嵌合溝２２Ａが形成されている。
【００１０】
図７及び図８は、前面の遮蔽板３０を示す平面図並びに側面略図である。この遮蔽板３０は、鉄板で形成しても合成樹脂材料で形成してもよい。
【００１１】
ユニット本体１０も合成樹脂材料で形成することにより、軽量化を図ることができ、作業性を向上させる。
【００１２】
前記背面の遮蔽板２０において、両翼部２２の間には逆Ｕ字状の立上り部２３を設け、この立上り部２３の存在により、両翼部２２を外方に引っ張り延ばすことが可能であり、あるいは内側へ収縮させることも可能となり、この両翼部２２の幅を可変にすることができる。すなわち、この立上り部２３の両翼部２２につながる部分の開口を拡げたり、すぼめたりすることができ、両翼部２２の幅を変えることができる。従ってユニット本体１０間の間隙の幅のばらつきに対応することができる。
【００１３】
【発明の効果】
以上説明したように、この発明によれば、地中に下端が埋設された複数の支柱間に壁パネルを取付けて本体壁を形成し、この本体壁上部の支柱間に音源側に傾斜する第１の分岐壁を設けるとともに、反音源側に傾斜する第２の分岐壁を設けた分岐型遮音壁において、支柱の上部において支柱の両側で前面と背面とに位置する第１及び第２の夫々隣り合う分岐壁の夫々の間の間隙を前面及び背面の遮蔽板で覆い、これら遮蔽板を合成樹脂材料から形成し、背面の遮蔽板は、一方では延出部と第２の分岐壁の一端側の内面に重ね合わせられるとともに、他方ではこれらの他端側の外面に嵌合溝により連結される一対の翼部を有し、背面の遮蔽板の両翼部間に逆Ｕ字状の立上り部を両翼部と一体に合成樹脂材料から形成し、この立上り部の開閉により両翼部が伸縮するように構成し、第１及び第２の分岐壁を合成樹脂材料で形成したので、軽量化し、取扱い易くなり、作業性が向上する。また、この遮蔽板を合成樹脂材料で形成するに際し、中間部に立上り部を設けることにより、立上り部の開口幅を変化させることで、両翼部の幅を変えることができ、ユニット本体間の間隙のばらつきに対応させて背面の遮蔽板を伸縮させることができる。
【図面の簡単な説明】
【図１】本体壁の上部に防音用のユニットを取付ける状態の斜視図。
【図２】ユニット間に前面及び背面の遮蔽板を取付けた状態の側面図。
【図３】遮蔽板個所の平面図。
【図４】背面の遮蔽板の側面図。
【図５】遮蔽板の平面図。
【図６】遮蔽板の正面図。
【図７】前面の遮蔽板の平面図。
【図８】図７の側面略図。
【符号の説明】
１  支柱
２  壁パネル
３  第１の分岐壁
４  第２の分岐壁
２０  背面の遮蔽板
３０  前面の遮蔽板
【図１】
0004338061.tif 000002
【図２】
0004338061.tif 000003
【図３】
0004338061.tif 000004
【図４】
0004338061.tif 000005
【図５】
0004338061.tif 000006
【図６】
0004338061.tif 000007
【図７】
0004338061.tif 000008
【図８】
0004338061.tif 000009